(57)【要約】【課題】  ディスクのクランプ可能領域の直径、及びまたはディスクの中心孔の内径が異なる場合においても、モーターを取り替えることなくディスクを初期化または、ＢＣＡ記録できる光ディスク初期化装置または、ＢＣＡ記録装置のディスク回転機構および着脱可能なディスク吸着部材を提供する。【解決手段】  ディスク吸着部材をハブに対して着脱可能にし、該着脱可能な吸着部材を初期化または、ＢＣＡ記録するディスクの複数のサイズに合わせて作製し、異なるサイズの光ディスクを初期化または、ＢＣＡ記録する場合には前記着脱可能な吸着部材を交換することができるように構成し、モーターの交換を不要とした。【選択図】図１
2007317260.tif 000002
【特許請求の範囲】
【請求項１】
ディスクの中心孔に嵌め込む突起とディスクを載置するディスク台座部とを有し、空気の負圧によってディスクを吸着し、ハブに着脱可能なディスク吸着部材と、該ディスク吸着部材を着脱可能に装着するハブと、該ハブを回転軸に固定するモーターとを備えるディスク初期化装置またはＢＣＡ記録装置のディスク回転機構において、
ディスクの中心孔の内径に合った直径を持つ突起及びディスクのクランプ可能領域に合った直径を持つ台座部を有するディスク吸着部材が選択されて着脱可能にハブに装着され、空気の負圧によってディスクが前記ディスク台座部に固定され、モーターが回転することによってディスクが回転されることを特徴とするディスク回転機構。
【請求項２】
ディスクを回転させるモーターと前記モーターの回転軸に固定したハブを有するディスク初期化装置またはＢＣＡ記録装置の前記ハブに着脱可能に装着するディスク吸着部材であって、
前記ディスクの中心孔に嵌め込む突起と、前記初期化又は、ＢＣＡ記録する光ディスクを載置するディスク台座部と、空気の負圧によって初期化又は、ＢＣＡ記録するディスクを吸着する吸着部を有し、ディスクの中心孔の内径に合った直径を持つ突起及びディスクのクランプ可能領域に合った直径を持つ台座部を有する前記ディスク吸着部材が選択されて前期ハブに着脱可能に装着され、モーターが回転することによってディスクが回転されることを特徴とする着脱可能なディスク吸着部材。
【請求項３】
請求項１記載のディスク回転機構または請求項２記載のディスク吸着部材を搭載したディスク初期化装置またはＢＣＡ記録装置。
【発明の詳細な説明】
【技術分野】
【０００１】
本発明は、ディスク回転機構および着脱可能なディスク吸着部材に係り、特に光ディスクの初期化またはＢＣＡ記録するときに光ディスクを空気の負圧（真空圧）によって吸着するディスク吸着部材が交換可能に構成されたディスク初期化装置又は、ＢＣＡ記録装置に好適なディスク回転機構に関する。
【背景技術】
【０００２】
書き換え可能な高密度記録媒体は初期化をする必要があることが多く、初期化は初期化専用の装置によって行われる。
例えば相変化光ディスクは、高密度であり書き換え可能な記録媒体として広く普及している。この相変化型光ディスクは、照射するレーザー光の強度により記録層の反射率を変化させることにより情報を記録し、該反射率を検出することにより記録された情報を再生させるものである。
【０００３】
前記相変化光ディスクは、透明な基板に反射層を形成し、その上に記録層を蒸着し、更にその上に保護層を形成することによって製造される。しかし、製造された直後の相変化光ディスクの記録層は反射率が所望の高さに達していない。このため、相変化光ディスク全面にレーザー光線等を照射することにより、記録層を非結晶状態から結晶状態に変化させ、反射率を所望の高さに変える初期化を行う必要がある。
【０００４】
また近年、光ディスクの容量が増大する一方、記録媒体の不正コピーが行われ、セキュリティ対策を行う必要が出てきている。セキュリティ対策の一つの技術として、光ディスク毎に固有な媒体の識別情報を記録する技術があり、その一例として光ディスクの最内周近傍のＢＣＡ領域にバーコードを記録する方法が挙げられる。このＢＣＡ領域に記録されるバーコードはＢＣＡコード、又は単にＢＣＡと呼ばれる。ＢＣＡはＢＣＡ記録装置によって記録される。
【０００５】
従来の前記初期化を行う光ディスク初期化装置または、ＢＣＡ記録装置のディスク回転機構は、図４に示すごとく、回転軸を有するモーター４０６と、光ディスクの中心部にある中心孔に嵌め込んで光ディスクを固定する突起部４０２および光ディスクを空気の負圧（真空圧）によって固定する吸着部４０３とを有するディスク吸着部材４０４と、ディスク吸着部材４０４とモーター４０６の回転軸とを接続するハブ４０５と、モーター４０６に接続する空気吸引孔４０７とを備えている。吸着部４０３は、モーター４０６の回転軸の内部を通して空気吸引孔４０７と通じている。
【０００６】
光ディスクを初期化または、ＢＣＡ記録するときは、初期化または、ＢＣＡ記録する光ディスクの中心孔を突起部４０２に嵌め込んでディスク吸着部材４０４の上に載置し、空気吸引孔４０７から空気を吸引して吸着部４０３を負圧（真空圧）にすることによって、光ディスクを固定し、モーター４０６を回転させることによって、光ディスクを回転させ、レーザー光線を照射して初期化または、ＢＣＡ記録する。
尚、従来技術による光ディスク初期化装置が記載された文献としては、下記の特許文献が挙げられる。
【特許文献１】特開２００５−３７８４１号公報
【発明の開示】
【発明が解決しようとする課題】
【０００７】
従来技術による光ディスク初期化装置または、ＢＣＡ記録装置は、突起部４０２とディスク吸着部材４０４とハブ４０５が一体でありモーター４０６の回転軸に固定されているため、ディスクの中心部にある中心孔の内径が異なるディスクや、クランプ可能領域の異なるディスクを初期化または、ＢＣＡ記録するには、モーターごと交換しなければならず、工数がかかるという問題点があった。
【０００８】
本願発明は、上記のような問題点を鑑み、モーターを交換せずにディスクの中心部にある中心孔の内径が異なるディスクや、クランプ可能領域の異なるディスクを初期化または、ＢＣＡ記録することが可能な光ディスク初期化装置または、ＢＣＡ記録装置のディスク回転機構および着脱可能なディスク吸着部材を提供することを目的とする。
【課題を解決するための手段】
【０００９】
前記目的を達成するために請求項１記載の発明は、ディスクの中心孔に嵌め込む突起とディスクを載置するディスク台座部とを有し、空気の負圧によってディスクを吸着し、ハブに着脱可能なディスク吸着部材と、該ディスク吸着部材を着脱可能に装着するハブと、該ハブを回転軸に固定するモーターとを備えるディスク回転機構において、
ディスクの中心孔の内径に合った直径を持つ突起及びディスクのクランプ可能領域に合った直径を持つ台座部を有するディスク吸着部材が選択されて着脱可能にハブに装着され、空気の負圧によってディスクが前記ディスク台座部に固定され、モーターが回転することによってディスクが回転されることを特徴とする。
【００１０】
また、請求項２記載の発明は、ディスクを回転させるモーターと前記モーターの回転軸に固定したハブを有する光ディスク初期化装置または、ＢＣＡ記録装置の前記ハブに着脱可能に装着するディスク吸着部材であって、
前記ディスクの中心孔に嵌め込む突起と、前記初期化または、ＢＣＡ記録する光ディスクを載置するディスク台座部と、空気の負圧によって初期化または、ＢＣＡ記録する光ディスクを吸着する吸着部を有し、ディスクの中心孔の内径に合った直径を持つ突起及びディスクのクランプ可能領域に合った直径を持つ台座部を有する前記ディスク吸着部材が選択されて前期ハブに着脱可能に装着され、モーターが回転することによってディスクが回転されることを特徴とする。
【００１１】
また、請求項３記載の発明は、初期化装置及びＢＣＡ記録装置であって、請求項１記載のディスク回転機構または請求項２記載のディスク吸着部材を搭載したことを特徴とする。
【発明の効果】
【００１２】
本発明の、ディスク回転機構および着脱可能なディスク吸着部材によれば、ディスク吸着部材を着脱可能にし、該着脱可能な吸着部材をディスクの複数のサイズに合わせて１種類以上作製し、異なるサイズのディスクを初期化または、ＢＣＡ記録する場合には前記着脱可能な吸着部材を交換することができるように構成したことにより、多種にわたるディスクの初期化、またはＢＣＡ記録が１台の装置で可能であり、かつ、モーターごと交換する必要がないため、モーター交換によって生ずる位置調整の手間もなくなり、段取り換えがすばやく行えることができる。また、将来発生する新規なサイズのディスクも該着脱可能なディスク吸着部材のみを作製することにより、安価ですばやく評価・生産に対応することが可能になるという優れた効果を奏する。
【発明を実施するための最良の形態】
【００１３】
以下、本発明のディスク回転機構および着脱可能なディスク吸着部材の一実施形態を、添付図面を参照して説明する。
＜構成の説明＞
本実施形態によるディスク回転機構および着脱可能なディスク吸着部材は、図１に示す如く、回転軸を有するモーター１１３と、前記モーター１１３の回転軸１１１に固定されたハブ１１２と、ハブ１１２に着脱可能な１種類以上のディスク吸着部材１２０，１２１とからなる。着脱可能なディスク吸着部材１２０，１２１は、ディスクを空気の負圧（真空圧であっても良い）によって固定する吸着部１０５−ａ，１０５−ｂと、ディスクの中心部にある中心孔に嵌め込んでディスクを固定する突起部１０３，１０８と、初期化または、ＢＣＡ記録するディスクのクランプ可能領域に合わせたディスク台座部１０４，１０９とを備える。
【００１４】
また、ハブ１１２には図示しない空気穴があり、該空気穴はモーター回転軸の内部を通して空気吸引孔１１４と通じている。ハブ１１２の空気穴は、着脱可能なディスク吸着部材１２０，１２１をハブ１１２にネジ１１０を用いて固定すると、吸着部１０５−ａ、又は、１０５−ｂと位置が合うように構成されている。
【００１５】
図１に示すように、着脱可能なディスク吸着部材１２０と着脱可能なディスク吸着部材１２１は、突起部１０３の直径１０２が突起部１０８の直径１０７より大きくなっており、ディスク台座部１０４の直径１０１がディスク台座部１０９の直径１０６よりも大きくなっている。このように、突起部１０３，１０８とディスク台座部１０４，１０９の直径をそれぞれディスク種類により中心孔の内径、クランプ可能領域の直径に合うように構成する。
【００１６】
図２の（Ａ）は着脱可能なディスク吸着部材１２０，１２１を取り付けた位置に対して下方から、（Ｂ）は取り付けた位置に対して上方から見た図である。着脱可能なディスク吸着部材１２０，１２１は、裏面にモーター１１３の回転軸１１１または、図示しないハブ１１２に設けられた突起部に嵌め込むための嵌合孔２０１と、裏面から表面に貫通し、空気を吸引するための吸引孔２０２と、着脱可能なディスク吸着部材１２０，１２１をネジによってハブ１１２に固定するためのネジ用穴２０３とを有する。
ここで、着脱可能なディスク吸着部材１２０，１２１は、位置決めのための突起または嵌合孔を設けず、回転軸に嵌め込むことにより位置決めされるように構成しても良い。
【００１７】
ハブ１１２はネジ用穴２０３に合うように図示しないネジ穴が設けられている。
なお、ディスクのサイズとはディスクの直径およびディスクの中心孔の内径の大きさ及び、ディスクのクランプ可能領域及び、ディスク厚さをいう。
また、ハブとはモーター１１３の回転軸に固定され、前記着脱可能なディスク吸着部材１２０、１２１を着脱可能に固定できる部分を言う。
また、クランプ可能領域とは、各種ディスクの規格で定められたクランプしてよい領域を指し、ディスク台座部１０４，１０９に固定することができる領域を言う。
【００１８】
＜実施方法の説明＞
初期化または、ＢＣＡ記録するディスクの中心部にある中心孔の内径が大きく、ディスクのクランプ可能領域の直径が大きいものを初期化または、ＢＣＡ記録する場合には、突起部１０３の直径１０２が大きく、ディスク台座部１０４の直径１０１が大きい着脱可能なディスク吸着部材１２０を選択する。
【００１９】
選択した着脱可能なディスク吸着部材１２０の嵌合孔２０１をモーター１１３の回転軸１１１または、図示しないハブ１１２に設けられた突起部にはめ込み、ハブ１１２の上に載置する。次に、着脱可能なディスク吸着部材１２０のネジ用穴２０３とハブ１１２の図示しないネジ穴を合わせて、ネジ１１０をねじ込み着脱可能なディスク吸着部材１２０を固定する。
【００２０】
図３は着脱可能なディスク吸着部材１２０をハブ１１２に装着したところを横から見た図である。
【００２１】
次に、ディスク台座部１０４の上に初期化または、ＢＣＡ記録しようとするディスクを載置し、空気吸引孔１１４から空気を吸い出すと、吸引孔１１４がモーター１１３の回転軸の内部を通して吸着部１０５−ａと通じているため、吸着部１０５−ａは負圧（真空圧）となり、ディスクはディスク台座部１０４に固定される。
次に、モーター１１３を回転させ、レーザー光線を照射してディスクの初期化または、ＢＣＡ記録を行う。
【００２２】
続いて、ディスクの中心部にある中心孔の内径が小さく、ディスクのクランプ可能領域の直径が小さいものを初期化または、ＢＣＡ記録する場合には、突起部１０８の直径１０７が小さく、ディスク台座部１０９の直径１０６が小さい着脱可能なディスク吸着部材１２１を選択する。
【００２３】
先ず、ネジ１１０をはずし、ハブ１１２から着脱可能なディスク吸着部材１２０を取り外す。次に、着脱可能なディスク吸着部材１２１の嵌合孔２０１をモーター１１３の回転軸１１１または、図示しないハブ１１２に設けられた突起部にはめ込み、ハブ１１２の上に載置する。次に、着脱可能なディスク吸着部材１２１のネジ用穴２０３とハブ１１２の図示しないネジ穴を合わせて、ボルト１１０をねじ込み着脱可能なディスク吸着部材１２１を固定する。
【００２４】
次に、ディスク台座部１０９の上に初期化または、ＢＣＡ記録しようとするディスクを載置し、空気吸引孔１１４から空気を吸い出すと、吸引孔１１４がモーター１１３の回転軸の内部を通して吸着部１０５−ｂと通じているため、吸着部１０５−ｂは負圧（真空圧）となり、ディスクはディスク台座部１０４に固定される。
次に、モーター１１３を回転させ、レーザー光線を照射してディスクの初期化または、ＢＣＡ記録を行う。
【００２５】
以上述べた如く、本実施形態においては、ディスク吸着部材を着脱可能にし、該着脱可能な吸着部材１２０，１２１を初期化または、ＢＣＡ記録するディスクの複数のサイズに合わせて１種類以上作製し、異なるサイズのディスクを初期化または、ＢＣＡ記録する場合には前記着脱可能な吸着部材１２０，１２１を交換することができるように構成したことにより、多種にわたるディスクを初期化または、ＢＣＡ記録する場合に、モーター１１３ごと交換する必要がなくなり、またモーター１１３交換によって生ずる位置調整の手間もなくなり、段取り換えがすばやく行えることができ、将来発生する新規なサイズのディスクも該着脱可能なディスク吸着部材１２０，１２１を作製することにより、安価でかつ、すばやく評価・生産に対応することが可能となる。
【図面の簡単な説明】
【００２６】
【図１】本発明を実施するためのディスク回転機構の構成を表した図である。
【図２】本発明を実施するための着脱可能な吸着部材の上面及び下面を表した図である。
【図３】着脱可能なディスク吸着部材をハブに装着したところを横から見た図である
【図４】ディスク回転機構の従来例を横から見た図である。
【符号の説明】
【００２７】
１０３，１０８：突起部、１０４，１０９：ディスク台座部、１１０：ボルト、１１１：モーター回転軸、１１２：ハブ、１１３：モーター、１２０，１２１：着脱可能な吸着部材。
【図１】
2007317260.tif 000003
【図２】
2007317260.tif 000004
【図３】
2007317260.tif 000005
【図４】
2007317260.tif 000006